(57)【要約】【課題】  プレミックスダンパ装置のダンパを開閉する駆動装置への結露を防止するとともに、駆動装置のサービス性を高めるようにした空気調和機を提供する。【解決手段】  吸込口１と吹出口２とを結ぶ空気通路にフィルタ５と、離間部６を有して配置された第一の熱交換器７および第二の熱交換器８からなる熱交換器９と、送風ファン１０とを設け、前記離間部６に、開口を有するダンパガイド１２を備え、同ダンパガイド１２の開口を開閉するダンパ１３を備えたプレミックスダンパ装置１４を設けてなる空気調和機において、前記第一の熱交換器７および前記第二の熱交換器８の間に前記ダンパ１３を駆動する駆動装置１５を設けるとともに、同駆動装置１５を覆う保護カバー１６を設けた。【選択図】  図３
2008111617.tif 000002
【特許請求の範囲】
【請求項１】
吸込口と吹出口とを結ぶ空気通路に、フィルタガイドにより支持されるフィルタと、離間部を有して配置された第一の熱交換器および第二の熱交換器からなる熱交換器と、送風ファンとを設け、前記離間部に、開口を有するダンパガイドを備え、同ダンパガイドの開口を開閉するダンパを備えたプレミックスダンパ装置を設けてなる空気調和機において、
前記第一の熱交換器および前記第二の熱交換器の間に前記ダンパを駆動する駆動装置を設けるとともに、同駆動装置を覆う保護カバーを設けてなることを特徴とする空気調和機。
【請求項２】
前記駆動装置および前記保護カバーが、前記ダンパガイドに取り付けられて前記ダンパを保持するダンパホルダに設けられてなることを特徴とする請求項１に記載の空気調和機。
【請求項３】
前記駆動装置が、駆動モータ、動力伝達部および前記ダンパの位置を検出するリミットスイッチからなり、前記ダンパホルダに排水部を設けてなることを特徴とする請求項１または請求項２に記載の空気調和機。
【請求項４】
前記ダンパホルダに、前記リミットスイッチを取り付ける取付部が設けられるとともに、同取付部が、前記ダンパガイドの上部に設けられてなることを特徴とする請求項１乃至請求項３の何れかに記載の空気調和機。
【請求項５】
前記ダンパホルダに、前記リミットスイッチの端子下面に対向する支持リブが形成されてなることを特徴とする請求項４に記載の空気調和機。
【請求項６】
前記フィルタの上流に、同フィルタに沿って上下に延びるガイドレールにより可動式の除塵装置が支持されるとともに、前記ガイドレールに対応して前記保護カバーにガイド部を設けてなることを特徴とする請求項１に記載の空気調和機。
【請求項７】
前記保護カバーに隣接し前記ダンパを保持するダンパホルダの上部が、前記フィルタに沿って延びるガイドレールの一部でカバーされてなることを特徴とする請求項１乃至請求項６の何れかに記載の空気調和機。
【発明の詳細な説明】
【技術分野】
【０００１】
本発明は、プレミックスダンパ装置を備えた空気調和機に係わり、より詳細には、ダンパを開閉する駆動装置への結露を防止するとともに、駆動装置のサービス性を高めるようにした構造に関する。
【背景技術】
【０００２】
従来の空気調和機には、冷房運転時の冷房能力を低下させずに吹出温度を上げ、冷え過ぎを防止し快適性を向上したものとして、例えば図１０乃至図１２に示すように、本体の前面部の上方、下方に、各々形成された第一の吸込口１ａと吹出口２と、上面部に形成された第二の吸込口１ｂと、前記第一、第二の吸込口１ａおよび１ｂと前記吹出口２を結ぶ空気通路に配設された略ハ字状に配置した第一の熱交換器７と第二の熱交換器８からなる熱交換器９および送風ファン１０とを配設し、前記第一の熱交換器７および前記第二の熱交換器８の上端間６に配置され開口１１を有するダンパガイド１２と、開口１１を開閉すべく前記ダンパガイド１２に回動自在に取り付けられたダンパ１３から構成されてなるものが開示されていた（例えば、特許文献１参照。）。
【０００３】
しかしながら、例えば前記第二の吸込口１ｂから吸い込まれた空気は、その一部が前記第一の熱交換器７および前記第二の熱交換器８の上端間６を流通し、それ以外は前記熱交換器９を流通することになることから、この上端間６における空気に温度差が生じることになって、前記ダンパ１３を駆動するための駆動モータ１５ａなどからなる駆動装置に結露が生じるおそれがあった。
【０００４】
そこで、前記駆動装置への結露が生じないようにするための配慮や、この駆動装置のサービス性を良好にするための配慮が不充分であることから、これらの対策を講じることが求められていた。
【特許文献１】特開２０００−３９１６８号公報
【発明の開示】
【発明が解決しようとする課題】
【０００５】
そこで、本発明は上述した課題を解決するためになされたものであって、その目的は、プレミックスダンパ装置のダンパを開閉する駆動装置への結露を防止するとともに、駆動装置のサービス性を高めるようにした空気調和機を提供することにある。
【課題を解決するための手段】
【０００６】
上述した目的を達成するため、本発明は以下に示す特徴を備えている。
【０００７】
吸込口と吹出口とを結ぶ空気通路に、フィルタガイドにより支持されるフィルタと、離間部を有して配置された第一の熱交換器および第二の熱交換器からなる熱交換器と、送風ファンとを設け、前記離間部に、開口を有するダンパガイドを備え、同ダンパガイドの開口を開閉するダンパを備えたプレミックスダンパ装置を設けてなる空気調和機において、
前記第一の熱交換器および前記第二の熱交換器の間に前記ダンパを駆動する駆動装置を設けるとともに、同駆動装置を覆う保護カバーを設けてなることを特徴としている。
【０００８】
また、前記駆動装置および前記保護カバーが、前記ダンパガイドに取り付けられて前記ダンパを保持するダンパホルダに設けられてなることを特徴としている。
【０００９】
また、前記駆動装置が、駆動モータ、動力伝達部および前記ダンパの位置を検出するリミットスイッチからなり、前記ダンパホルダに排水部を設けてなることを特徴としている。
【００１０】
また、前記ダンパホルダに、前記リミットスイッチを取り付ける取付部が設けられるとともに、同取付部が、前記ダンパガイドの上部に設けられてなることを特徴としている。
【００１１】
また、前記ダンパホルダに、前記リミットスイッチの端子下面に対向する支持リブが形成されてなることを特徴としている。
【００１２】
また、前記フィルタの上流に、同フィルタに沿って上下に延びるガイドレールにより可動式の除塵装置が支持されるとともに、前記ガイドレールに対応して前記保護カバーにガイド部を設けてなることを特徴としている。
【００１３】
また、前記保護カバーに隣接し前記ダンパを保持するダンパホルダの上部が、前記フィルタに沿って延びるガイドレールの一部でカバーされてなることを特徴としている。
【発明の効果】
【００１４】
本発明によれば、第一の熱交換器および第二の熱交換器の間にダンパを駆動する駆動装置を設けるとともに、同駆動装置を覆う保護カバーを設けてなる構成にすることで、プレミックスダンパ装置のダンパを開閉する駆動装置への結露を防止するとともに、駆動装置のサービス性を高めるようにした空気調和機を提供できる。
【発明を実施するための最良の形態】
【００１５】
次に、本発明の実施形態について図面を参照しながら説明する。
【００１６】
図１は本発明による空気調和機の説明図で、（Ａ）は外観斜視図、（Ｂ）は前面パネルを取り外した状態を示す斜視図であり、図２は本発明による空気調和機の要部斜視図であり、図３は本発明による空気調和機の説明図で、（Ａ）はプレミックスダンパ装置の保護カバーを含んだ断面図、（Ｂ）は保護カバーを除いた断面図であり、図４は本発明による空気調和機の要部斜視図であり、図５はプレミックスダンパ装置の説明図で、（Ａ）は開口を閉じた状態を示す斜視図、（Ｂ）は開口を開放した状態を示す斜視図であり、図６はプレミックスダンパ装置の分解斜視図であり、図７はプレミックスダンパ装置の要部分解斜視図であり、図８はダンパの説明図で、（Ａ）は斜視図、（Ｂ）は（Ａ）で示すＡ部のＡ矢視図であり、図９はダンパの説明図で、（Ａ）は斜視図、（Ｂ）は（Ａ）で示すＡ部のＡ矢視図である。
【００１７】
本発明に係る空気調和機は、図１（Ａ）および図１（Ｂ）と、図２と、図３（Ａ）および図３（Ｂ）とに示すように、本体上部に設けられた吸込口１と下部に設けられた吹出口２とを結ぶ空気通路３に、フィルタガイド４により着脱自在に支持されたフィルタ５と、前後に分割配置された第一の熱交換器７および第二の熱交換器８からなる熱交換器９と、送風ファン１０とが設けられた構成になっている。
【００１８】
前記フィルタ５の前面側には、同フィルタ５を清掃する可動式の除塵装置２３が設けられており、また、前記第一の熱交換器７の上端部および前記第二の熱交換器８の上端部は互いに前後に離間した離間部６が設けられている。
【００１９】
前記離間部６には、同離間部６を通風路として開放したり、または閉止するためのプレミックスダンパ装置１４が設けられており、同プレミックスダンパ装置１４によって、該箇所に向かう前記吸込口１からの吸込空気の一部が前記熱交換器９を通過することなく流通するようにしたり、または、吸込空気の一部が該箇所で遮蔽されることによって前記熱交換器９を通過するように導かれる構成になっている。
【００２０】
前記除塵装置２３は、前記フィルタ５に沿って上下に延びるガイドレール２２によって上下方向に移動できるように支持されることにより、前記フィルタ５の表面に堆積した塵埃を自動的に清掃するようになっており、内部には、回動自在に軸支される一対の清掃ブラシと、これら清掃ブラシで捕捉された塵埃を回収する一対の回収ブラシと、前記清掃ブラシの回動を規制するロック部材とが収納されている。
【００２１】
前記プレミックスダンパ装置１４は、図４乃至図６に示すように、複数の開口１１を有するダンパガイド１２と、同ダンパガイド１２の開口１１を開閉するように、一側ホルダ１７ａと、他側ホルダ１７ｂと、中央ホルダ１７ｃとからなるダンパホルダ１７によってスライド可能に保持されたダンパ１３とを備えており、同ダンパ１３が駆動装置１５により駆動されることによって前記開口１１が開放されると、前記吸込口１から吸い込まれた空気の一部が熱交換されることなく前記吹出口２に向かうようになり、前記空気通路３において、前記熱交換器９を通過し熱交換された空気と混合して前記吹出口２から被空調室に吹き出されるようになっている。
【００２２】
これにより、冷房運転時の送風能力を低下させずに吹出温度を上げ、被空調室内のユーザに対する冷え過ぎを防止して快適性を向上させることができるようになり、また、吹き出される空気の湿度を相対的に低下させることで、更に快適性を向上させることができるようになる。
【００２３】
前記プレミックスダンパ装置１４は、図５（Ａ）に示す状態が前記ダンパ１３によって前記開口１１を閉じた状態であり、前記吸込口１から吸い込まれた空気が前記離間部６を通過しないようになっている。
【００２４】
前記駆動装置１５によって、図５（Ｂ）に示すように、前記ダンパ１３が前方に移動すると、前記ダンパガイド１２に形成された開口１１が開放され、前記吸込口１から吸い込まれた空気の一部は、図５（Ｂ）に示す矢印ａおよび矢印ｂのように前記複数の開口１１を通過して、空気調和機本体内の前記空気通路３に流入するようになっている。
【００２５】
前記空気通路３に流入した空気は、前記熱交換器９を通過して熱交換された空気と混合したのち、上述したとおり、前記送風ファン１０により前記吹出口２から被空調室に吹き出されるようになっている。
【００２６】
次に、前記プレミックスダンパ装置１４の詳細な構成および動作について説明する。
【００２７】
図５（Ａ）および図５（Ｂ）と、図６とに示すように、前記ダンパガイド１２は複数の開口１１を備えており、一側に一側ガイド部１２ａを、他側に他側ガイド部１２ｂを夫々立設している。また、中央部には、前方に延出されて先端部を上方に折曲したストッパ１２ｅが形成されている。
【００２８】
前記一側ガイド部１２ａには、前後に延びるレール１２ｇが形成され、その前部にはねじ孔を有する前部固定部１２ｃが設けられ、後部にはねじ孔を有する後部固定部１２ｄが設けられており、同一側ガイド部１２ａには前記駆動装置１５が取り付けられるようになっている。
【００２９】
前記他側ガイド部１２ｂには、同様に前後に延びるレール１２ｆが形成され、その前部にはねじ孔を有する前部固定部１２ｃが設けられ、後部にはねじ孔を有する後部固定部１２ｄが設けられている。
【００３０】
前記ダンパ１３は矩形状に形成され、一側に前記一側ガイド部１２ａに形成されたレール１２ｇに載置されガイドされる一側載置部１３ａが設けられ、同様に、他側に前記他側ガイド部１２ｂに形成されたレール１２ｈに載置されガイドされる他側載置部１３ｂが設けられており、前記一側載置部１３ａには、前後に延びるラックギヤが形成されている。また、図８（Ａ）および図８（Ｂ）に示すように、前記ダンパ１３の中央部には段差状に凹部１３ｃが、その両側には段差状に凹部１３ｄが夫々形成されている。
【００３１】
前記凹部１３ｃおよび前記凹部１３ｄは、その底面両側が、図５（Ｂ）および図６（Ｂ）に示すように、隣り合うように形成された前記開口１１周縁のフランジによって位置決めされ、前記ダンパ１３のスライドに合わせてガイドされるようになっている。
【００３２】
前記ダンパホルダ１７を構成する一側ホルダ１７ａは、その前後に設けられた前部取付孔１７ｅおよび後部取付孔１７ｆを通したねじを前記一側ガイド部１２ａの前部固定部１２ｃおよび後部固定部１２ｄに螺着することによって、前記ダンパ１３の一側部をスライド可能に保持しながら、前記ダンパガイド１２に固定されるようになっている。
【００３３】
同様に、前記ダンパホルダ１７を構成する他側ホルダ１７ｂは、その前後に設けられた取付孔を通したねじを前記一側ガイド部１２ｂの前部固定部１２ｃおよび後部固定部１２ｄに螺着することによって、前記ダンパ１３の他側部をスライド可能に保持しながら、前記ダンパガイド１２に固定されるようになっている。
【００３４】
前記ダンパホルダ１７を構成する中央ホルダ１７ｃは、その先端部に前記ストッパ１２ｅに対応した折曲部１７ｇを形成し、前記ダンパ１３の凹部１３ｃに対応して後縁部の係合部によりダンパガイド１２に固定されるようになっており、これによって、前記ダンパ１３の中央部が上方に浮かないようにしてスライド可能に保持される。
【００３５】
前記駆動装置１５は、前記ラックギヤに対応して、図７に示すようなピニオンギヤからなる動力伝達部１５ｂを回転軸に装着した駆動モータ１５ａを備え、前記一側ホルダ１７ａに設けられたモータ取付部１７ｄにねじ締めによって取り付けられるようになっている。
【００３６】
なお、図７に示すようになピニオンギヤからなる前記動力伝達部１５ｂは、出力部に設ける図示しないギアにより動かす動力出力部１５ｂ’に連係し、同動力出力部１５ｂ’に伝達された動力は図示しない動力伝達軸を介して、前記他側ガイド部１２ｂの側に形成されたレール１２ｆ近傍の動力出力部１５ｂ’に出力されて、同他側ガイド部１２ｂの側からも前記ダンパ１３をスライドさせるようにしている。
【００３７】
また、前記動力伝達部１５ｂが前記熱交換器９の上部に設けられるとともに、前記駆動モータ駆動モータ１５ａおよび前記動力伝達部１５ｂの下部を構成する前記ダンパホルダ１７に、図６に示すように排水部１８が設けられており、これによって、前記ピニオンギヤへの結露を前記排水部１８から排出できるようにすることで、該箇所にカビが発生してしまう原因にならないようにした構成になる。
【００３８】
そして、前記駆動装置１５には、キートップ１９ａと、リミットスイッチ１９とが内蔵されるとともに、これらキートップ１９ａおよびリミットスイッチ１９と、前記駆動モータ１５ａおよび前記動力伝達部１５ｂを保護するように保護カバー１６が上部に設けられている。
【００３９】
前記リミットスイッチ１９は、図７に示すように、前記一側ダンパホルダ１７ａに突設された取付部２０に取り付けられ、同取付部２０が前記ダンパガイド１２の上部に所定の間隔を有して設けられた構成になっており、これによって、前記リミットスイッチ１９が、前記ダンパガイド１２の更に下部に配置された前記熱交換器９との間に、低温化した同熱交換器９によって冷却されないだけの間隔を有することで結露が生じない構成になる。
【００４０】
また、前記一側ダンパホルダ１７ａに、前記リミットスイッチ１９の端子下面に対向する支持リブ２１が突設されており、これによって、図７に示す前記リミットスイッチ１９の端子１９ｂの下面が対向する面２２に結露があったとしても、電気的ショートをさせない構成になる。
【００４１】
前記保護カバー１６が前記駆動装置１５の上部に設けられたことにより、前記吸込口１から吸い込まれた空気の一部が、前記駆動装置１５に直接当たることなく前記熱交換器９を通過するように導かれることになる。
【００４２】
また、図５（Ａ）および図５（Ｂ）に示す前記保護カバー１６に隣接する前記ダンパホルダ１７の上部が、図５に示す前記ガイドレール２２の一部でカバーされるようにした構成になっており、これによって、前記駆動モータ１５ａなどによる前記駆動装置１５の上部および同駆動装置１５の後方上部Ａを、前記保護カバー１６および前記ガイドレール２２の一部によって略密閉状態にカバーできるようになる。
【００４３】
そのため、前記吸込口１から吸い込まれた空気の一部が、前記離間部６に設けられた前記駆動装置１５に直接当たらなくなって、該箇所の空気に温度差が生じるおそれがなくなる。
【００４４】
また、前記ダンパ１３を駆動するための駆動モータ１５ａなどからなる前記駆動装置１５が発熱しても、前記吸込口１から吸い込まれた空気の一部が前記駆動装置１５で暖められない構成になるので、該箇所の空気に温度差が生じるということがなくなり、したがって、前記駆動装置１５への結露が生じてしまうおそれがなくなる。
【００４５】
前記保護カバー１６には、図７に示すように、前記ガイドレール２２によって移動可能に支持された前記除塵装置２３に対応してこれをガイドするガイド部１６ａが設けられており、これによって、前記ガイドレール２２および前記ガイド部１６ａによって前記除塵装置２３が円滑にガイドされるようになる。
【００４６】
また、前記駆動装置１５は前記一側ホルダ１７ａに取り付けられ、同一側ホルダ１７ａが、前記前部取付孔１７ｅおよび前記後部取付孔１７ｄを通したねじを前記前部固定部１２ｃおよび前記後部固定部１２ｄに夫々螺着して前記ダンパガイド１２に固定されるようになっていることから、同ダンパガイド１２に対して前記駆動装置１５を含む前記一側ホルダ１７ａを着脱可能に固定できるので、前記駆動装置１５のサービス性が良好になる。
【００４７】
前記ダンパ１３の中央部に段差状に形成された凹部１３ｃは、図９（Ｂ）の上面図に示すように、前縁部にＤ寸法の切欠き１３ｅを形成している。前記凹部１３ｃの前縁部は前記ダンパガイド１２の中央部前方に延出され、先端部を上方に折曲したストッパ１２ｅに突き当たり、前方へのスライドが規制されるようになっているが、前記ダンパ１３は、前記切欠き１３ｅの分だけ前方に移動できるようになっており、より大きい移動量を確保して、前記開口１１を充分に開放できるようになっている。
【図面の簡単な説明】
【００４８】
【図１】本発明による空気調和機の説明図で、（Ａ）は外観斜視図であり、（Ｂ）は前面パネルを取り外した状態を示す斜視図である。
【図２】本発明による空気調和機の要部斜視図である。
【図３】本発明による空気調和機の説明図で、（Ａ）はプレミックスダンパ装置の保護カバーを含んだ断面図であり、（Ｂ）は保護カバーを除いた断面図である。
【図４】本発明による空気調和機の要部斜視図である。
【図５】プレミックスダンパ装置の説明図で、（Ａ）は開口を閉じた状態を示す斜視図であり、（Ｂ）は開口を開放した状態を示す斜視図である。
【図６】プレミックスダンパ装置の分解斜視図である。
【図７】プレミックスダンパ装置の要部分解斜視図である。
【図８】ダンパの説明図で、（Ａ）は斜視図であり、（Ｂ）は（Ａ）で示すＡ部のＡ矢視図である。
【図９】ダンパの説明図で、（Ａ）は斜視図であり、（Ｂ）は（Ａ）で示すＡ部のＡ矢視図である。
【図１０】従来例による空気調和機の断面図である。
【図１１】従来例による空気調和機の要部分解斜視図である。
【図１２】従来例による空気調和機の要部説明図で、（Ａ）は分解斜視図であり、（Ｂ）は拡大分解斜視図である。
【符号の説明】
【００４９】
１  吸込口
２  吹出口
３  空気通路
４  フィルタガイド
５  フィルタ
６  離間部
７  第一の熱交換器
８  第二の熱交換器
９  熱交換器
１０  送風ファン
１１  開口
１２  ダンパガイド
１２ａ  一側ガイド部
１２ｂ  他側ガイド部
１２ｃ  前部固定部
１２ｄ  後部固定部
１２ｅ  ストッパ
１２ｆ，１２ｇ  レール
１３  ダンパ
１３ａ  一側載置部
１３ｂ  他側載置部
１３ｃ，１３ｄ  凹部
１３ｅ  切欠き
１４  プレミックスダンパ装置
１５  駆動装置
１５ａ  駆動モータ
１５ｂ  動力伝達部
１５ｂ’  動力出力部
１６  保護カバー
１６ａ  ガイド部
１７  ダンパホルダ
１７ａ  一側ホルダ
１７ｂ  他側ホルダ
１７ｃ  中央ホルダ
１７ｄ  モータ取付部
１７ｅ  前部取付孔
１７ｆ  後部取付孔
１７ｇ  折曲部
１８  排水部
１９  リミットスイッチ
１９ａ  キートップ
１９ｂ  端子
２０  取付部
２１  支持リブ
２２  ガイドレール
２３  除塵装置
【図１】
2008111617.tif 000003
【図２】
2008111617.tif 000004
【図３】
2008111617.tif 000005
【図４】
2008111617.tif 000006
【図５】
2008111617.tif 000007
【図６】
2008111617.tif 000008
【図７】
2008111617.tif 000009
【図８】
2008111617.tif 000010
【図９】
2008111617.tif 000011
【図１０】
2008111617.tif 000012
【図１１】
2008111617.tif 000013
【図１２】
2008111617.tif 000014